(57)【特許請求の範囲】
【請求項１】
表示装置と、
ファイルに対応するファイル名情報が記録された記録媒体からファイル名情報を読み取る読取部と、
前記読取部に読み取られたファイル名情報を元に表示制御信号を生成するシステムコントローラと、
前記システムコントローラにより出力された表示制御信号に基づいてファイル名を前記表示装置にスクロール表示させ、設定された表示時間経過後に前記表示装置を消灯する表示ドライバと、を備え、
前記システムコントローラは、
前記表示ドライバによるファイル名のスクロールが終了したか否かを判定する判定手段と、
前記判定手段によりスクロールの未了を判定された場合に、前記表示ドライバによる前記表示装置の消灯を遅延させる遅延手段と、
前記判定手段によりスクロールの終了を判定された場合に、前記表示ドライバに前記表示装置の消灯を行わせる消灯手段と、を備えることを特徴とする車載用電子機器。
【発明の詳細な説明】
【技術分野】
【０００１】
本発明は、車載用電子機器に関する。
【背景技術】
【０００２】
従来の車載用オーディオプレイヤーでは、再生中のファイルの名称または番号といった情報が表示装置に表示される。
【０００３】
また、表示装置には、表示時間をユーザにより設定可能としているものもある（例えば、特許文献１参照）。夜間走行時に表示装置の表示光が眩しいため、車載用オーディオプレイヤーの表示装置にこれを適用し、所定時間経過後に表示を消すものも開発されている。
【特許文献１】特開２００３−３４４９２９号公報
【発明の開示】
【発明が解決しようとする課題】
【０００４】
ところで、車載用オーディオプレイヤー等では表示画面が小さいため、長いファイル名を全て表示するためにスクロール表示する表示装置を備えるものがある。
【０００５】
しかし、所定時間経過後に表示を消すように設定すると、長いファイル名をスクロール表示している途中で表示が消えてしまうおそれがある。
【０００６】
本発明の課題は、ファイル名が長い場合でも、ファイル名が全てスクロール表示された後に速やかに表示装置を消灯することができる車載用電子機器を提供することである。
【課題を解決するための手段】
【０００７】
以上の課題を解決するため、請求項１に記載の発明は、表示装置と、ファイルに対応するファイル名情報が記録された記録媒体からファイル名情報を読み取る読取部と、前記読取部に読み取られたファイル名情報を元に表示制御信号を生成するシステムコントローラと、前記システムコントローラにより出力された表示制御信号に基づいてファイル名を前記表示装置にスクロール表示させ、設定された表示時間経過後に前記表示装置を消灯する表示ドライバと、を備え、前記システムコントローラは、前記表示ドライバによるファイル名のスクロールが終了したか否かを判定する判定手段と、前記判定手段によりスクロールの未了を判定された場合に、前記表示ドライバによる前記表示装置の消灯を遅延させる遅延手段と、前記判定手段によりスクロールの終了を判定された場合に、前記表示ドライバに前記表示装置の消灯を行わせる消灯手段と、を備えることを特徴とする車載用電子機器である。
【発明の効果】
【０００９】
本発明によれば、ファイル名が長い場合でも、ファイル名を全てスクロール表示することができる。また、ファイル名を全てスクロールした後に速やかに表示装置を消灯することができる。
【発明を実施するための最良の形態】
【００１０】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１１】
〔第１実施形態〕
図１は、本発明の第１実施形態に係る車載用電子機器１のブロック図であり、図２は、車載用電子機器１の正面図である。この車載用電子機器１は、オーディオプレイヤーである。
【００１２】
車載用電子機器１は、システムコントローラ２と、ＲＡＭ３と、ＲＯＭ４と、入力部５と、表示ドライバ６と、表示装置７と、読取部８と、コーデック９と、アンプ１０と、スピーカ１１とを備える。
【００１３】
記録媒体１２は、コンパクトディスク、ハードディスク又は半導体記録媒体であり、読取部８にとって読取可能な記録媒体である。記録媒体１２には、例えばＭＰ３形式のオーディオファイルが記録されているとともに、各オーディオファイルに対応するファイル名情報が記録されている。
読取部８はシステムコントローラ２により駆動され、記録媒体１２に記録された情報を読み取り、オーディオファイルをコーデック９に出力するとともに、対応するファイル名情報をシステムコントローラ２に出力する。
【００１４】
コーデック９はシステムコントローラ２により駆動され、読取部８によって読み取られたオーディオファイルを伸長してアナログ化し、オーディオ信号をアンプ１０に出力する。アンプ１０は、コーデック９から入力したオーディオ信号を増幅してスピーカ１１に出力する。スピーカ１１は、アンプ１０から入力したオーディオ信号を音に変換する電気音響変換器であり、アンプ１０から入力したオーディオ信号に従って音を出力する。
【００１５】
表示装置７は車載用電子機器１の正面に設けられており、液晶ディスプレイ又はエレクトロルミネッセンスディスプレイといった表示装置である。
表示ドライバ６はシステムコントローラ２から入力される表示制御情報に従って表示装置７を駆動する。例えば、表示ドライバ６には、再生中のオーディオファイルに対応するファイル名や再生時間等の表示制御情報がシステムコントローラ２から入力され、表示ドライバ６は表示制御情報に基づいて表示装置７にファイル名や再生時間等を表示させる。
【００１６】
また、表示ドライバ６はシステムコントローラ２によりスクロール開始信号が入力されると、表示装置７にスクロール表示を開始させる。表示装置７によるスクロール表示が終了すると、終了信号をシステムコントローラ２に出力する。
また、表示ドライバ６は、消灯手段からの消灯信号が入力されることにより表示装置７を消灯する。
【００１７】
また、表示ドライバ６はタイマー回路を備える。タイマー回路にはシステムコントローラ２よりクロック信号が入力され、設定された所定時間（例えば５秒。以下、「表示時間」という）までクロック信号に基づいて計時する。そして、システムコントローラ２から表示ドライバ６に表示制御情報が入力されると、タイマー回路は計時を開始する。計時を開始してから表示時間を経過すると、タイマー回路はオーバーフロー信号をシステムコントローラ２に出力する。
また、システムコントローラ２より遅延信号がタイマー回路に入力されると、タイマー回路はリセットされ、再び所定時間が経過するまで計時する。
【００１８】
システムコントローラ２は、ＣＰＵ等を有し、ＲＯＭ４に格納されたプログラムに従って車載用電子機器１の統括的な制御を行う。例えば、システムコントローラ２は、読取部８から入力されたファイル名情報に基づいてファイル名を表示装置７に表示させる表示制御情報を生成し、表示ドライバ６に出力する。また、システムコントローラ２は、表示ドライバ６にスクロール表示を開始させるスクロール開始信号を出力する。
【００１９】
さらに、システムコントローラ２は、判定手段と、遅延手段と、消灯手段とを備える。
判定手段は表示ドライバ６から入力される終了信号を検知することにより、ファイル名のスクロールが終了したか否かを判定する。
遅延手段は、判定手段によりスクロールの未了を判定されたときに、タイマー回路をリセットする遅延信号を表示ドライバ６に出力する。
【００２０】
消灯手段は、判定手段によりスクロールの終了を判定されたときに、表示ドライバ６に消灯信号を出力する。なお、後述するスクロール機能が無効である場合には、消灯手段は、システムコントローラ２が表示ドライバ６から入力されるオーバーフロー信号を検知することにより、表示ドライバ６に消灯信号を出力する。
【００２１】
ＲＡＭ３は、システムコントローラ２にワークエリアを提供し、システムコントローラ２によるプログラムの実行時に生じる処理結果等のデータが記憶されるワークエリアに一時的に記憶する。例えば、ＲＡＭ３には、再生中のファイルのファイル名情報が一時的に記憶される。
【００２２】
ＲＯＭ４には、システムコントローラ２にとって読取可能・実行可能なプログラムやデータが格納されている。
【００２３】
入力部５は車載用電子機器１の正面に設けられており、各種の入力キー、入力ダイヤルを有し、これら入力キーや入力ダイヤルの操作に対応する操作信号をシステムコントローラ２に出力する。入力部５は、図２に示すように、十字キー５１、スクロールキー５２、表示消灯キー５３やプリセットキー５４ａ〜５４ｆ等の入力キーや、ボリュームダイアル５５等の入力ダイヤルを有する。
【００２４】
スクロールキー５２は、オーディオファイルの再生開始時または再生中に表示装置７に表示されるファイル名が長い場合に、ファイル名を表示装置７にスクロール表示するスクロール機能を有効にする。スクロールキー５２が１回押下されるとスクロール機能が有効となり、表示ドライバ６は表示装置７を駆動してファイル名をスクロール表示させる。なお、スクロールキー５２が再び押下されると、表示ドライバ６は再び表示装置７を駆動してファイル名をスクロール表示させる。
【００２５】
表示消灯キー５３は、表示ドライバ６の消灯機能を有効か否かを変更するために用いられる。ここで、消灯機能とは、任意のキー操作の後、再生中のファイル名を表示装置７に表示し、表示時間が経過した後、表示装置７を消灯する機能である。表示消灯キー５３が１回押下されると、消灯機能が有効となり、表示ドライバ６はオーディオファイルの再生開始時に対応するファイル名、再生時間等を表示装置７に表示するとともに、タイマー回路による計時を開始する。タイマー回路は表示時間を計時後にオーバーフロー信号をシステムコントローラ２に出力する。オーバーフロー信号が入力されたシステムコントローラ２は、消灯手段により消灯信号を表示ドライバ６に出力する。消灯信号が入力された表示ドライバ６は、表示装置７を消灯する。
一方、表示消灯キー５３がもう１回押下されると消灯機能が無効となり、表示ドライバ６はファイル名、再生時間等を表示装置７に表示し続ける。
【００２６】
なお、消灯機能が有効である場合にスクロール機能を有効とした場合は、ファイル名のスクロールが表示時間内に終了しないために、表示ドライバ６がスクロールの途中で表示装置７を消灯することが考えられる。このため、本発明では、表示ドライバ６による消灯を遅延させ、ファイル名が全て表示装置７にスクロール表示された後に表示ドライバ６が表示装置７を消灯するようにしている。
【００２７】
例えば、ファイル名として「Best Hits Top20 / Various Artists」という文字列を表示装置７にスクロール表示する場合は、図３に示すようになる。まず、先頭の「Best Hits Top20 / V」の文字列が静止表示される（図３（ａ））。その後、スクロールキー５２を押下すると、文字列の表示が左端に移動しはじめ、先頭の文字から順に表示されなくなるとともに、後続の文字列が右端から順に表示される（図３（ｂ））。全ての文字列が表示され（図３（ｃ））、さらに全ての文字列の表示が左端に移動して表示されなくなると、表示装置７が消灯される（図３（ｄ））。この表示方法については後述する。
【００２８】
次に、表示ドライバ６の消灯機能が有効である場合にスクロール機能を有効とした場合の、ファイル名の表示方法について図４のフローチャートを用いて説明する。ここで、図４は、車載用電子機器１の動作中においてシステムコントローラ２の処理及び表示ドライバ６の動作の流れを示したフローチャートである。
【００２９】
ユーザが入力部５を操作することで、入力部５からシステムコントローラ２に操作信号が入力されたら、システムコントローラ２が読取部８に記憶媒体からオーディオファイル及び対応するファイル名情報の読み込みを開始させる。
そして、読取部は、読み取ったオーディオファイルをコーデック９に出力するとともに、対応するファイル名情報をシステムコントローラ２に出力する。
【００３０】
次に、システムコントローラ２はコーデック９を駆動し、読取部８より入力されたオーディオファイルを伸長してアナログ化し、オーディオ信号をアンプ１０に出力する。オーディオ信号がアンプ１０により増幅され、スピーカ１１により音に変換されることで、オーディオファイルに記録された音楽等が再生される。
【００３１】
一方、読取部８により読み取られたファイル名情報がシステムコントローラ２に入力されると、システムコントローラ２は再生中のオーディオファイルに対応するファイル名を表示装置７に表示させる表示制御情報を表示ドライバ６に出力する。表示ドライバ６は表示制御情報に従って表示装置７を制御しファイル名を静止表示させる（図３（ａ）、ステップＳ１）。それとともに、表示ドライバ６はタイマー回路をスタートする。
【００３２】
ユーザによりスクロールキー５２が押下されると、システムコントローラ２は表示ドライバ６にスクロール開始信号を出力し、表示ドライバ６は表示装置７にスクロール表示を開始させる。また、スクロールキー５２の押下と同時に、表示ドライバ６はタイマー回路をリセットし、再スタートする（図３（ｂ）、ステップＳ２）。
【００３３】
次に、タイマー回路からオーバーフロー信号がシステムコントローラ２に入力されるまで、すなわち表示時間が経過するまで、システムコントローラ２は表示ドライバ６に表示装置７によるスクロール表示を継続させる（ステップＳ３；Ｎｏ，ステップＳ４）。
【００３４】
タイマー回路からオーバーフロー信号が入力されたら、すなわち表示時間が経過したら（ステップＳ３；Ｙｅｓ）、システムコントローラ２は、判定手段が表示ドライバ６から入力される終了信号を検知したか否かにより、ファイル名のスクロールが終了したか否かを判定する（ステップＳ５）。スクロールが未了（図３（ｃ）、ステップＳ５；Ｎｏ）の場合には、システムコントローラ２は遅延手段により遅延信号を表示ドライバ６に出力する。遅延信号が入力された表示ドライバ６は消灯を遅延させ（ステップＳ６）、ステップＳ３に戻る。
【００３５】
スクロールが終了すると、表示ドライバ６は終了信号をシステムコントローラ２に出力する。システムコントローラ２の判定手段が表示ドライバ６から入力される終了信号を検知した場合（ステップＳ５；Ｙｅｓ）には、システムコントローラ２は消灯手段により消灯信号を表示ドライバ６に出力する。消灯信号が入力された表示ドライバ６は、表示装置７を消灯する（図３（ｄ）、ステップＳ７）。
【００３６】
以上のように、本実施形態によれば、通常は表示装置７を所定時間経過後に消灯することができるとともに、ファイル名が長い場合には、表示装置７の点灯時間を長くし、ファイル名が全てスクロール表示された後に表示装置７を消灯することができる。
【００３７】
なお、上記実施形態において、表示装置７の消灯の遅延は、他の任意の方法により消灯を遅延させてもよい。
【図面の簡単な説明】
【００３８】
【図１】車載用電子機器のブロック図である。
【図２】車載用電子機器の正面図である。
【図３】表示装置の表示例である。
【図４】システムコントローラ２の処理及び表示ドライバ６の動作の流れを示したフローチャートである。
【符号の説明】
【００３９】
１     車載用電子機器
２     システムコントローラ
６     表示ドライバ
７     表示装置
８     読取部
１２   記録媒体
【図１】
0004807046.tif 000002
【図２】
0004807046.tif 000003
【図３】
0004807046.tif 000004
【図４】
0004807046.tif 000005